(57)【要約】【課題】  マイコンにおける割り込み処理や切り替え処理の負担を軽減しつつ、交流負荷に対する電力を一定にすることができる交流負荷電力制御方式を提供する。【解決手段】  ＡＣ２４Ｖ電源と、ヒータと、ＡＣ２４Ｖ電源からの電圧を検知する入力電圧検知回路１１３と、ＡＣ２４Ｖ電源でヒータが駆動される時間をオン時間とし、ＡＣ２４Ｖ電源でヒータが駆動されない時間をオフ時間として、入力電圧検知回路１１３で検知される電圧から、このオン時間とこのオフ時間とを決定するマイコン１０５と、を備え、マイコン１０５で決定されるオン時間およびオフ時間のそれぞれは、ＡＣ２４Ｖ電源の電源周波数の半周期の整数倍である。【選択図】  図１
2014067256.tif 000002
【特許請求の範囲】
【請求項１】
交流電源と、
交流負荷と、
前記交流電源からの電圧を検知する電源電圧検知手段と、
前記交流電源で前記交流負荷が駆動される時間をオン時間とし、前記交流電源で前記交流負荷が駆動されない時間をオフ時間として、前記電源電圧検知手段で検知される電圧から、前記オン時間と前記オフ時間とを決定するオンオフ時間決定手段と、
を備える交流負荷電力制御方式であって、
前記オンオフ時間決定手段で決定されるオン時間およびオフ時間のそれぞれは、前記交流電源の電源周波数の半周期の整数倍であることを特徴とする交流負荷電力制御方式。
【請求項２】
前記オンオフ時間決定手段で決定されるオン時間およびオフ時間のそれぞれは、前記電源周波数が５０Ｈｚの場合には、１／１００秒の整数倍とされ、前記電源周波数が６０Ｈｚの場合には、１／１２０秒の整数倍とされることを特徴とする請求項１記載の交流負荷電力制御方式。
【請求項３】
前記電源周波数は、第１の電源周波数および第２の電源周波数のいずれか一方であり、
前記オンオフ時間決定手段で決定されるオン時間およびオフ時間のそれぞれは、前記第１の電源周波数の半周期と前記第２の電源周波数の半周期との最小公倍数の整数倍であることを特徴とする請求項１記載の交流負荷電力制御方式。
【請求項４】
前記オンオフ時間決定手段で決定されるオン時間およびオフ時間のそれぞれは、前記第１の電源周波数が５０Ｈｚであり且つ前記第２の電源周波数が６０Ｈｚである場合に、５０ｍｓｅｃの整数倍であることを特徴とする請求項３記載の交流負荷電力制御方式。
【請求項５】
前記交流電源で前記交流負荷を駆動するか否かを切り替えるスイッチ手段と、
前記交流電源からの交流電圧のゼロクロスを検知するゼロクロス検知手段と、
前記オンオフ時間決定手段で決定されるオン時間およびオフ時間に基づき、オン信号またはオフ信号を出力するオンオフ信号出力手段と、
をさらに備え、
前記スイッチ手段は、前記オンオフ信号出力手段からオン信号が出力され、且つ前記ゼロクロス検知手段でゼロクロスが検知された場合に、前記交流負荷を前記交流電源で駆動するように切り替えることを特徴とする請求項１乃至４のいずれか１項に記載の交流負荷電力制御方式。
【請求項６】
電圧と時間とを対応付けたテーブルを記憶する記憶手段をさらに備え、
前記オンオフ時間決定手段は、前記電源電圧検知手段で検知される電圧に対応付けられた時間を前記記憶手段から読み出し、該時間をオン時間として決定することを特徴とする請求項１乃至５のいずれか１項に記載の交流負荷電力制御方式。
【請求項７】
前記スイッチ手段は、フォトトライアックあるいはトライアックを含むことを特徴とする請求項１乃至６のいずれか１項に記載の交流負荷電力制御方式。
【請求項８】
前記交流負荷は、ヒータであることを特徴とする請求項１乃至７のいずれか１項に記載の交流負荷電力制御方式。
【発明の詳細な説明】
【技術分野】
【０００１】
本発明は、交流電源の電圧変動による交流負荷の電力変動を抑えるための電力制御方式に関するものである。
【背景技術】
【０００２】
ヒータのような負荷を駆動するとき、電源電圧が変動することにより負荷電力も変動する。たとえば、電源電圧が±１０％変動する場合、＋１０％のときの電源電圧は、−１０％のときの電源電圧に対して、１．１／０．９＝約１．２２倍である。このとき、負荷電力は、その２乗の（１．１／０．９）＾２＝約１．５倍の変動となる。
【０００３】
つまり、必要な電力に対して、その１．５倍の電力消費を想定した設計が必要となる。しかし、このような設計では、電気基板の銅箔厚や配線幅、使用電子部品の定格電圧や定格電流等が本来必要な仕様値より大きく増えることになり、サイズやコストの増大をまねくことになる。
【０００４】
この負荷電力の変動を抑えるため、電源電圧の変動量に応じて負荷のオンオフデューティーを変えることにより、負荷電力を一定にする電力制御が行われる。
【０００５】
また、この負荷のオンオフ制御時には、サージ電圧や急激な電流変化が発生するため、不要輻射ノイズや交流電源における高調波電流が懸念される。そこで、交流電源での高調波電流や不要輻射ノイズを抑えるため、オンオフ制御は、交流電源のゼロクロスのタイミングで行うことが知られている（特許文献１）。
【先行技術文献】
【特許文献】
【０００６】
【特許文献１】特公平０３−０３６３３４号公報
【発明の概要】
【発明が解決しようとする課題】
【０００７】
しかしながら、特許文献１の方法では、交流電源のゼロクロス信号をマイコンに入力し、その都度割り込み処理を行う必要がある。この割り込み処理は、電源周波数の２倍の周期で発生し、負荷のオンオフ時間のカウントやオンオフのタイミングの決定等を行う。また、電源周波数によってオンオフ時間を変更する必要があるため、電源周波数の判定とそれに伴う切り替え処理が発生する。
【０００８】
他の多くの制御を司るマイコンにとって、これらの割り込み処理や切り替え処理は、大きな負担となってしまっていた。
【０００９】
本発明は上記の課題を解決するためになされたものであり、マイコンにおける割り込み処理や切り替え処理の負担を軽減しつつ、交流負荷に対する電力を一定にすることができる交流負荷電力制御方式を提供するものである。
【課題を解決するための手段】
【００１０】
上記目的を達成するために、本発明の交流負荷電力制御方式は、交流電源と、交流負荷と、前記交流電源からの電圧を検知する電源電圧検知手段と、前記交流電源で前記交流負荷が駆動される時間をオン時間とし、前記交流電源で前記交流負荷が駆動されない時間をオフ時間として、前記電源電圧検知手段で検知される電圧から、前記オン時間と前記オフ時間とを決定するオンオフ時間決定手段と、を備える交流負荷電力制御方式であって、前記オンオフ時間決定手段で決定されるオン時間およびオフ時間のそれぞれは、前記交流電源の電源周波数の半周期の整数倍であることを特徴とする。
【発明の効果】
【００１１】
本発明によれば、マイコンにおける割り込み処理や切り替え処理の負担を軽減しつつ、交流負荷に対する電力を一定にすることができる交流負荷電力制御方式を提供することができる。
【図面の簡単な説明】
【００１２】
【図１】本実施形態の監視カメラ用屋外ハウジングの構成を示す図である。
【図２】本実施形態のゼロクロスタイミングの検知方法とヒータ駆動方法を説明するための図である。
【図３】本実施形態のヒータ駆動制御についてのフローチャートである。
【図４】本実施形態のヒータオン時間をテーブル化した図である。
【図５Ａ】５０ｍｓｅｃ間の電源の５０Ｈｚと６０Ｈｚの関係を示した図である。
【図５Ｂ】本実施形態の電源の５０Ｈｚ時と６０Ｈｚ時のヒータ駆動電圧の状態について示した図である。
【発明を実施するための形態】
【００１３】
以下、本発明の交流負荷電力制御方式に係る、実施形態について図面を用いて詳細に説明する。
【００１４】
（実施形態）
図１は、本発明の実施形態に係る監視カメラ用屋外ハウジングの構成を示す図である。監視カメラ用屋外ハウジングとは、監視カメラを屋外に設置して使用するためのハウジングのことであり、雨、風、雪、気温、湿度、日光等の気象の変化から監視カメラを保護するものである。
【００１５】
このため、監視カメラ用屋外ハウジングの中には、監視カメラ以外に、コントロール基板１００、ヒータ（図１内のヒータ１とヒータ２のこと）、ファン（図１内のファン１とファン２のこと）を備える。本実施形態は、特に外気温が低いときの、監視カメラ用屋外ハウジング内のヒータ駆動制御に関するものである。
【００１６】
同図において、１００は、コントロール基板であり、ＡＣ２４Ｖの電源供給を受け、監視カメラの電源のオンオフ制御及びヒータ（交流負荷）、ファンの駆動制御を行っている。
【００１７】
１０１ａ、１０１ｂは、ゼロクロス検知回路（ゼロクロス検知手段）である。１０１ａでＡＣ２４Ｖ電源の０Ｖになるゼロクロスタイミングを検知し、１０１ｂでゼロクロスタイミングのパルス信号を生成する。
【００１８】
１０２は、ＡＣ２４Ｖ電源を直流電圧に変換するための整流回路であり、約ＤＣ３４Ｖ（以下ＤＣ３４Ｖと称する）が生成される。また、１０３は、このＤＣ３４Ｖからファン駆動のためのＤＣ１２Ｖを生成するＤＣ１２Ｖ生成回路である。
【００１９】
１０４は、マイコン等の動作のためのＤＣ３．３Ｖを生成するＤＣ３．３Ｖ生成回路である。１０５は、マイコンで、温度センサ１１６の入力をもとに監視カメラの電源のオンオフ制御やヒータ、ファンの駆動制御を行う。
【００２０】
１０６ａ、１０６ｂ、１０７ａ、１０７ｂは、ヒータを駆動するためのヒータドライブ回路（スイッチ手段）である。１０６ａ、１０７ａは、フォトトライアックの入力回路で、それぞれＡＮＤ回路１０９、１１０からのトリガー信号を受けてフォトトライアックを駆動する。１０６ｂ、１０７ｂは、トライアック回路で、１０６ａ、１０７ａのフォトトライアックの駆動を受けてヒータを駆動する。
【００２１】
１０８ａ、１０８ｂは、監視カメラの電源をオンオフ制御するためのカメラ電源ドライブ回路である。１０８ａは、フォトトライアックの入力回路で、ＡＮＤ回路１１１からのカメラ電源オンオフ用のトリガー信号を受けてフォトトライアックを駆動する。１０８ｂは、トライアック回路で、１０８ａのフォトトライアックの駆動を受けて監視カメラの電源をオンオフ制御する。
【００２２】
１０９、１１０、１１１は、ヒータドライブ回路１０６、１０７及びカメラ電源ドライブ回路１０８を駆動するＡＮＤ回路である。マイコン１０５から出力されるヒータオン信号及び監視カメラ電源オン信号とタイミング生成回路１１２からのトリガータイミング信号のＡＮＤ信号としてのトリガー信号を出力する。
【００２３】
１１２は、タイミング生成回路で、ゼロクロス検知回路１０１ｂの出力パルスから１０６ａ、１０７ａ、１０８ａのフォトトライアックを駆動するために必要な幅を持ったトリガータイミング信号を生成する。１１３は、入力電圧検知回路（電源電圧検知手段）で、整流回路１０２の出力電圧を検知してマイコン１０５に入力している。
【００２４】
１１４、１１５は、マイコン１０５からの指示を受けてファンを駆動するためのファンドライブ回路である。１１６は、温度センサで、この検知温度によって監視カメラの電源やヒータやファンが制御される。
【００２５】
なお、温度センサ１１６は、監視カメラ用屋外ハウジング内の温度を検知するものである。より詳細には、温度センサ１１６は、ファンの近傍の温度を検知するものである。
【００２６】
以下、図３に従ってヒータの駆動制御の動作について説明する。ＡＣ２４Ｖ電源がオン（Ｓ３０１）されることで、コントロール基板１００にＡＣ２４Ｖが供給される。
【００２７】
ＡＣ２４Ｖは、整流回路１０２でＤＣ３４Ｖに整流され、ＤＣ１２Ｖ生成回路１０３、ＤＣ３．３Ｖ生成回路１０４によりＤＣ１２ＶとＤＣ３．３Ｖが生成される（Ｓ３０２）。
【００２８】
ＤＣ３．３Ｖの生成によりマイコン１０５が起動（Ｓ３０３）し、マイコン１０５は、温度センサ１１６の温度を読み取る（Ｓ３０４）。温度センサ１１６の検知温度が監視カメラの最低動作温度以上（Ｓ３０５）のとき、かつ最高動作温度以下（Ｓ３１２）のとき、マイコン１０５は、監視カメラの電源をオン（Ｓ３１５）し、通常の監視状態に入る。
【００２９】
一方、温度が高過ぎて監視カメラの最高動作温度を上回っているとき、マイコン１０５は、監視カメラの電源をオフ（Ｓ３１３）して異常表示（Ｓ３１４）を行う。たとえば、ステップＳ３１４では、マイコン１０５は、コントロール基板１００に設けられたＬＥＤを発光させる。
【００３０】
また、温度センサ１１６の検知温度が監視カメラの最低動作温度を下回っているとき（Ｓ３０５）、マイコン１０５は、ヒータを駆動させる。これにより、監視カメラの駆動部や各素子の温度が動作温度範囲内になるように、屋外ハウジング内が暖められる。
【００３１】
このとき、入力電圧の変動によってヒータの駆動電力が影響を受けないように入力電圧によるヒータの電力制御を行う。そのため、マイコン１０５は、入力電圧検知回路１１３により入力電圧（Ｖｄｅｔ）を読み取り（Ｓ３０６）、この入力電圧（Ｖｄｅｔ）からヒータをオンする時間のデューティー（Ｄｏｎ）を次式により求める（Ｓ３０７）。
【００３２】
Ｄｏｎ＝６０Ｗ／｛８０Ｗ×（Ｖｄｅｔ／ＤＣ３４Ｖ）＾２｝
但し、
Ｄｏｎ：ヒータのオンデューティー
６０Ｗ：必要ヒータ電力
８０Ｗ：ヒータ定格電力  ａｔ  ＡＣ２４Ｖ
Ｖｄｅｔ：入力検知電圧
ＤＣ３４Ｖ：定格電圧ＡＣ２４Ｖ時の整流後の直流電圧
但し、本数値は概略値である。実際にはＡＣ２４Ｖの√２倍であり、また整流素子による電圧降下を加味する必要がある。
【００３３】
次に、マイコン１０５は、算出されたヒータのオンデューティー（Ｄｏｎ）をもとにヒータのオン時間（Ｔｏｎ）、オフ時間（Ｔｏｆｆ）を求める。ヒータは、監視カメラ用屋外ハウジング内の空気を暖めるために使用されるため、高速のオンオフ制御は不要である。ここでは、１秒周期内のオンオフ時間を制御することで電力制御を行う。
【００３４】
また、電源高調波や不要輻射ノイズを抑制するために、ヒータのオンオフは、ＡＣ２４Ｖ電圧のゼロクロスのタイミングで行う。そして、オンオフ時間は、ＡＣ２４Ｖ電源の半周期の整数倍とする。
【００３５】
より具体的には、ヒータのオン時間およびヒータのオフ時間のそれぞれは、ＡＣ２４Ｖ電源の半周期の整数倍となる。したがって、ヒータのオン時間とヒータのオフ時間との和も、ＡＣ２４Ｖ電源の半周期の整数倍となる。
【００３６】
しかし、半周期の整数倍とするだけでは、ＡＣ２４Ｖ電源が５０Ｈｚか６０Ｈｚかによって１秒周期内のオンオフ時間が異なってしまい制御電力が変わってしまう。
【００３７】
このため、オンオフ時間を５０ｍｓｅｃの整数倍になるように設定する。５０ｍｓｅｃとは、５０Ｈｚと６０Ｈｚの各半周期の最小公倍数である（図５Ａ）。なお、具体的には、５０Ｈｚの半周期とは、１／１００秒であり、６０Ｈｚの半周期とは、１／１２０秒である。また、本実施形態において、５０Ｈｚは、第１の電源周波数に相当し、６０Ｈｚは、第２の電源周波数に相当する。
【００３８】
５０ｍｓｅｃの整数倍でオンオフ時間を決めれば、５０Ｈｚか６０Ｈｚかの違いを判定する必要なく電力制御が行えることになる。マイコン１０５は、オンデューティー（Ｄｏｎ）からオン時間（Ｔｏｎ）、オフ時間（Ｔｏｆｆ）を次式により求める。なお、次式では５０ｍｓｅｃの整数倍に丸める際、２５ｍｓｅｃ以上を５０ｍｓｅｃとし、２５ｍｓｅｃ未満を０ｍｓｅｃとしている（Ｓ３０８）（Ｓ３０９）。
【００３９】
ＭＯＤ（１，０００ｍｓｅｃ×Ｄｏｎ，５０ｍｓｅｃ）＞２５のとき：
Ｔｏｎ＝（ＩＮＴ（１，０００ｍｓｅｃ×Ｄｏｎ／５０ｍｓｅｃ）＋１）＊５０ｍｓｅｃ
ＭＯＤ（１，０００ｍｓｅｃ×Ｄｏｎ，５０ｍｓｅｃ）≦２５のとき：
Ｔｏｎ＝ＩＮＴ（１，０００ｍｓｅｃ×Ｄｏｎ／５０ｍｓｅｃ）＊５０ｍｓｅｃ
Ｔｏｆｆ＝１，０００ｍｓｅｃ−Ｔｏｎ
但し、
Ｔｏｎ：ヒータのオン時間
Ｔｏｆｆ：ヒータのオフ時間
５０ｍｓｅｃ：５０Ｈｚと６０Ｈｚの電源周期の半周期の最小公倍数
１，０００ｍｓｅｃ：ヒータの制御周期（５０／１０００の分解能で電力制御が可能）
ＭＯＤ（前項，後項）：前項を後項で割ったときの余り
ＩＮＴ（演算式）：演算式の結果の整数部分
【００４０】
マイコン１０５は、求められたオン時間（Ｔｏｎ）だけヒータへオン信号を出力する（Ｓ３１０）。これにより、マイコン１０５は、Ｔｏｎだけヒータを駆動させる。続いて、マイコン１０５は、オフ時間（Ｔｏｆｆ）だけヒータへオフ信号を出力する（Ｓ３１１）。これにより、マイコン１０５は、Ｔｏｆｆだけヒータを駆動させない。
【００４１】
なお、本実施形態におけるマイコン１０５は、オンオフ時間決定部に相当し、且つオンオフ信号出力部に相当する。
【００４２】
図５Ｂは、電源の５０Ｈｚ時と６０Ｈｚ時のヒータ駆動電圧の状態について示した図である。ここでは入力電圧がＤＣ３３．０９Ｖ（ＡＣ２３．４Ｖ）のときのヒータのオン時間の例を示している。このとき、
オンデューティー（Ｄｏｎ）
＝６０Ｗ／｛８０Ｗ×（ＤＣ３３．０９Ｖ／ＤＣ３３．９４Ｖ）＾２｝
＝０．７８９
Ｔｏｎ
＝（ＩＮＴ（１，０００ｍｓｅｃ×０．７８９／５０ｍｓｅｃ）＋１）＊５０ｍｓｅｃ
＝８００ｍｓｅｃ
となり、ヒータオフ時間（Ｔｏｆｆ）は２００ｍｓｅｃとなる。
【００４３】
なお、５０Ｈｚ電源の場合および６０Ｈｚ電源の場合ともに、ＡＣ２４Ｖ電源からの入力は、連続している。
【００４４】
ＡＮＤ回路１０９、１１０の出力のトリガー信号がヒータドライブ回路１０６、１０７に出力されヒータ駆動電圧がヒータに印加される。ただ、ヒータドライブ回路１０６、１０７の駆動開始時は、ヒータがオンしても、その直後電圧がゼロクロスするためにトライアックＴＲ１、ＴＲ２は、オフする。
【００４５】
そして、次の極性の電圧が増加し出した時のトリガー信号の印加を受けて改めてヒータがオンされる。また、トリガー信号がオフされたときは、トライアックＴＲ１、ＴＲ２は、既にオンしており、電圧がゼロクロスするまでオンし続ける。
【００４６】
つまり、マイコン１０５から出力されたヒータオン信号と実際にヒータがオンする時間には、電源の半周期の範囲内のずれは生じるが、ヒータのオン時間は、マイコン１０５からの指示された時間だけオンされることになる。なお、図５Ｂのヒータ駆動電圧の波形では、初めのヒータオン時の微小オン時間についての記載は省略している。
【００４７】
図２と合せてゼロクロスタイミングの検知方法とヒータの駆動方法について説明する。コントロール基板１００に供給されるＡＣ２４Ｖは、交流であり、電圧は、サイン波状に変化する。ＡＣ２４Ｖの電圧が高いときは、ゼロクロス検知回路１０１ａ内のフォトカプラＰＣ１のフォトダイオードの順電流（Ｖｉ）が十分流れ、ゼロクロス検知回路１０１ｂの出力電圧はＬｏレベルになる。
【００４８】
ＡＣ２４Ｖの電圧がゼロ電圧に近づきフォトカプラＰＣ１のフォトダイオードの順電流（Ｖｉ）が小さくなると、ゼロクロス検知回路１０１ｂの出力電圧は、Ｈｉレベルになる。フォトカプラＰＣ１は、ＡＣ入力用でありフォトダイオードが２個、逆極性に並列に配置されており、交流電圧の極性が変わっても同様に動作する。
【００４９】
この結果、ＡＣ２４Ｖがゼロ電圧になる前後の等時間幅に渡ってＨｉとなるゼロクロスパルス信号がゼロクロス検知回路１０１ｂから出力される（図２の信号ａ）。このゼロクロスパルス信号のパルス幅ができるだけ狭くなるように部品定数を選定することで、よりゼロ電圧に近いところでゼロクロスタイミングが検出されることになる。
【００５０】
ところで、ヒータドライブ回路１０６、１０７内のフォトトライアックＰＴ１、ＰＴ２を確実にターンオンするにはトリガＬＥＤ電流値以上の電流を流す必要がある。
【００５１】
ここで、トリガＬＥＤ電流値とは、それ以上流せば確実にフォトトライアックがターンオンする電流値のことである。つまり、ゼロクロスパルス信号をＨｉに変化させるのはフォトトライアックＰＴ１、ＰＴ２のトリガＬＥＤ電流値以上の電流が流せる電源電圧である必要がある。
【００５２】
図２ａでは、電源電圧が±１Ｖ〜±３Ｖの範囲のときに、ゼロクロスパルス信号を発生するようにしている。そして、少なくとも電源電圧が±１Ｖのときには、トリガＬＥＤ電流値以上のトリガＬＥＤ電流が流せるようにプルアップ抵抗を設定している。
【００５３】
このときのゼロクロスパスル信号のパルス幅は、約１００μｓｅｃ〜１ｍｓｅｃとなる。また、ヒータドライブ回路１０６ｂ、１０７ｂ内のトライアックＴＲ１，ＴＲ２には最低保持電流値の規定がある。
【００５４】
トライアックは、ゲート電流が流されて一旦オンすると印加電圧が０Ｖになるまでオンし続けるが、最低保持電流値以上の負荷電流を流さないとターンオフしてしまう。つまり、ゼロクロスパルス信号をＬｏに変化させるのは、トライアックＴＲ１、ＴＲ２の最低保持電流値以上の電流が流せる電源電圧である必要がある。
【００５５】
ところが、図２ａの±１ＶレベルでフォトトライアックＰＴ１、ＰＴ２をオフするとトライアックＴＲ１、ＴＲ２は、最低保持電流値を流せずにターンオフする。このため、ゼロクロスパルス信号をＬｏに変化させるまでの時間をタイミング生成回路１１２で延ばすように構成している。
【００５６】
具体的には、タイミング生成回路１１２は、抵抗とコンデンサによる時定数回路とコンパレータ回路であり（図２ｂ）、その閾値電圧（図２ｃ）で成形されたゼロクロスパルス信号（トリガータイミング信号）が出力される（図２ｄ）。
【００５７】
図２ｄでは電源電圧が±９Ｖ〜±１０Ｖの範囲のときにトリガータイミング信号をＬｏに変化させるようにしている。そして少なくとも電源電圧が±９ＶのときにはトライアックＴＲ１、ＴＲ２の最低保持電流値以上の負荷電流が流せるようにプルアップ抵抗を設定している。
【００５８】
このときのトリガータイミング信号のパルス幅は、１．１５ｍｓｅｃ〜１．６５ｍｓｅｃ以上となる。タイミング生成回路１１２から出力されたトリガータイミング信号とマイコン１０５からのヒータ駆動信号（図２ｅ）のＡＮＤ信号であるトリガー信号（図２ｆ）がＡＮＤ回路１０９、１１０から出力される。
【００５９】
そして、ＡＮＤ回路１０９、１１０からのトリガー信号（図２ｆ）でヒータドライブ回路１０６、１０７が駆動され、ヒータが駆動制御される。
【００６０】
図４は、ステップＳ３０７〜Ｓ３０８で用いた数式から算出されるヒータのオン時間（Ｔｏｎ）を、入力電圧検知回路１１３からの入力検知電圧毎にテーブル化したものである。このテーブルでは、入力検知電圧を定格電圧に対する１％毎に分割して設定している。最終的なオン時間（Ｔｏｎ）は５０ｍｓｅｃの整数倍として丸めている。
【００６１】
当然、マイコン１０５内にメモリさせるのは、入力検知電圧と５０ｍｓｅｃの整数倍のオン時間の対応だけでよい。（つまり、入力検知電圧とヒータのオン時間とを対応付けたテーブルだけを、マイコン１０５に記憶させれば良い。）
【００６２】
なお、本実施形態ではゼロクロス検知回路１０１とＡＮＤ回路１０９、１１０、１１１を備えた構成で記載している。これらを備えない場合は電源のゼロクロスのタイミングでヒータのオンオフが行えなくなり、電源高調波や不要輻射ノイズの低減が行えなくなる。しかし、マイコン１０５への割り込み処理を無くしかつ周波数の切り替え処理を不要としたことによるマイコン処理負荷低減の効果は十分備えている。
【００６３】
また、本実施形態におけるステップＳ３０７〜Ｓ３０８では、マイコン１０５がヒータのオン時間を算出しているが、これに限られるものではない。
【００６４】
たとえば、入力検知電圧とヒータのオン時間とが対応付けられたテーブル（図４に示すようなテーブル）を記憶するようにマイコン１０５を構成しても良い。さらに、ステップＳ３０７〜Ｓ３０８で、入力電圧検知回路１１３で検知された入力電圧に対応するオン時間をマイコン１０５に記憶されているテーブルから読み出し、読み出したオン時間をヒータのオン時間として求めるようにマイコン１０５を構成しても良い。
【００６５】
これにより、ヒータのオン時間の算出が不要となるので、マイコン１０５にかかる負担をより軽減することができる。
【００６６】
以上説明したように、本実施形態によれば、マイコン１０５に負担をかけることなく、交流電源のヒータ負荷の電力を制御しかつ高調波電流や不要輻射ノイズを抑制することができるようになる。
【符号の説明】
【００６７】
１００  コントロール基板
１０１ａ、１０１ｂ  ゼロクロス検知回路
１０２  整流回路
１０３  ＤＣ１２Ｖ生成回路
１０４  ＤＣ３．３Ｖ生成回路
１０５  マイコン
１０６ａ、１０６ｂ、１０７ａ、１０７ｂ  ヒータドライブ回路
１０８ａ、１０８ｂ  カメラ電源ドライブ回路
１０９、１１０、１１１  ＡＮＤ回路
１１２  タイミング生成回路
１１３  入力電圧検知回路
１１４、１１５  ファンドライブ回路
１１６  温度センサ
【図１】
2014067256.tif 000003
【図２】
2014067256.tif 000004
【図３】
2014067256.tif 000005
【図４】
2014067256.tif 000006
【図５Ａ】
2014067256.tif 000007
【図５Ｂ】
2014067256.tif 000008